(57)【要約】【課題】特別な動力を要することなく且つ温泉の急激な温度低下も招くことなく効果的にガス分離できる簡易構造の温泉ガス分離装置を提供すること。【解決手段】断熱構造を有する容体２の上部に温泉１をこの容体２内に放出する放出部３を設け、この放出部３から容体２内に放出された温泉１Ａが衝突して飛散若しくは跳ね返る衝突飛散跳ね返り部４を備えた温泉衝突ガス分離機構５を前記容体２内に設け、この容体２に前記温泉衝突ガス分離機構５により分離されたガスを排気する排気部６を設け、この容体２の下部にガスの含有量を減じた温泉１Ａを導出する導出部７を設ける。【選択図】図４
2010214277.tif 000002
【特許請求の範囲】
【請求項１】
温泉を導入して温泉に含まれるガスを分離排気してガスの含有量を減じた温泉を導出する温泉ガス分離装置であって、断熱構造を有する容体の上部に温泉をこの容体内に放出する放出部を設け、この放出部から容体内に放出された温泉が衝突して飛散若しくは跳ね返る衝突飛散跳ね返り部から成る温泉衝突ガス分離機構を前記容体内に設け、この容体に前記温泉衝突ガス分離機構により分離されたガスを排気する排気部を設け、この容体の下部にガスの含有量を減じた温泉を導出する導出部を設けたことを特徴とする温泉ガス分離装置。
【請求項２】
前記温泉衝突ガス分離機構は、前記容体内に筒状の前記衝突飛散跳ね返り部を立設状態に設けて、この衝突飛散跳ね返り部内に前記放出部から温泉が放出されるように構成すると共に、この衝突飛散跳ね返り部の内壁に放出された温泉が衝突して飛散しながら若しくは跳ね返りながら流下することで、温泉に含まれるガスが分離する構成としたことを特徴とする請求項１記載の温泉ガス分離装置。
【請求項３】
前記衝突飛散跳ね返り部に、温泉が流通可能な流通孔を複数形成したことを特徴とする請求項１，２のいずれか１項に記載の温泉ガス分離装置。
【請求項４】
温泉を導入して温泉に含まれるガスを分離排気してガスの含有量を減じた温泉を導出する温泉ガス分離装置であって、容体の上部に温泉をこの容体内に放出する放出部を設け、この放出部から容体内に放出された温泉が衝突して飛散若しくは跳ね返る衝突飛散跳ね返り部から成る温泉衝突ガス分離機構を前記容体内に設けると共に、この衝突飛散跳ね返り部は、放出部から放出された温泉が衝突する板状であって且つ複数の流通孔を有する形状に形成し、この容体に前記温泉衝突ガス分離機構により分離されたガスを排気する排気部を設け、この容体の下部にガスの含有量を減じた温泉を導出する導出部を設けたことを特徴とする温泉ガス分離装置。
【請求項５】
前記容体内に、この容体内を、前記温泉衝突ガス分離機構が存するガス分離温泉用収容部と、前記導出部が存するガス分離済温泉用収容部とに仕切る仕切り部を設け、この仕切り部の下部に前記ガス分離温泉用収容部と前記ガス分離済温泉用収容部とを連通する連通部を設けて、ガス分離温泉用収容部で前記温泉衝突ガス分離機構によりガスの含有量を減じられた温泉が前記連通部を介して前記ガス分離済温泉用収容部に収容されるように構成し、このガス分離済温泉用収容部のガスの含有量を減じた温泉を前記導出部から導出し得るように構成したことを特徴とする請求項１〜４のいずれか１項に記載の温泉ガス分離装置。
【請求項６】
前記容体内に、前記温泉衝突ガス分離機構を囲繞するようにして前記容体内を仕切る筒状の前記仕切り部を設けて、温泉衝突ガス分離機構の前記衝突飛散跳ね返り部に衝突して飛散若しくは跳ね返った温泉がこの仕切り部の内壁に衝突することで飛散若しくは跳ね返るように構成したことを特徴とする請求項５記載の温泉ガス分離装置。
【発明の詳細な説明】
【技術分野】
【０００１】
本発明は、温泉からメタン等のガスを分離する温泉ガス分離装置に関する。
【背景技術】
【０００２】
温泉は、メタン等のガスを含んでいるため、入浴施設等に供給する前にガス分離装置でガスを分離することが義務付けられている。
【０００３】
また、この種のガス分離装置としては、例えば、汲み上げた温泉を貯留する容体内に攪拌用のプロペラを設け、このプロペラで容体内の温泉を攪拌することで空気を温泉に接触（気液接触）させて、ガスを分離するようにしたものが知られている（例えば、特許文献１参照。）。
【先行技術文献】
【特許文献】
【０００４】
【特許文献１】特開２００５−１７９６２９号公報
【発明の概要】
【発明が解決しようとする課題】
【０００５】
上記特許文献１のような従来のガス分離装置は、攪拌用プロペラの他、その可動部や動力源が必要であるから高価であり、更に運用管理費用も必要であるから経済的でない。
【０００６】
本発明は、この点、簡単な構成で安価に実現できて運用費用も殆ど要しないものでありながら、効果的に温泉からガスを分離できる温泉ガス分離装置を提供するものである。
【課題を解決するための手段】
【０００７】
添付図面を参照して本発明の要旨を説明する。
【０００８】
温泉１を導入して温泉１に含まれるガスを分離排気してガスの含有量を減じた温泉１Ａを導出する温泉ガス分離装置Ａであって、断熱構造を有する容体２の上部に温泉１をこの容体２内に放出する放出部３を設け、この放出部３から容体２内に放出された温泉１が衝突して飛散若しくは跳ね返る衝突飛散跳ね返り部４から成る温泉衝突ガス分離機構５を前記容体２内に設け、この容体２に前記温泉衝突ガス分離機構５により分離されたガスを排気する排気部６を設け、この容体２の下部にガスの含有量を減じた温泉１Ａを導出する導出部７を設けたことを特徴とする温泉ガス分離装置に係るものである。
【０００９】
また、前記温泉衝突ガス分離機構５は、前記容体２内に筒状の前記衝突飛散跳ね返り部４を立設状態に設けて、この衝突飛散跳ね返り部４内に前記放出部３から温泉１が放出されるように構成すると共に、この衝突飛散跳ね返り部４の内壁に放出された温泉１が衝突して飛散しながら若しくは跳ね返りながら流下することで、温泉１に含まれるガスが分離する構成としたことを特徴とする請求項１記載の温泉ガス分離装置に係るものである。
【００１０】
また、前記衝突飛散跳ね返り部４に、温泉１が流通可能な流通孔12を複数形成したことを特徴とする請求項１，２のいずれか１項に記載の温泉ガス分離装置に係るものである。
【００１１】
また、温泉１を導入して温泉１に含まれるガスを分離排気してガスの含有量を減じた温泉１Ａを導出する温泉ガス分離装置Ａであって、容体２の上部に温泉１をこの容体２内に放出する放出部３を設け、この放出部３から容体２内に放出された温泉１が衝突して飛散若しくは跳ね返る衝突飛散跳ね返り部４から成る温泉衝突ガス分離機構５を前記容体２内に設けると共に、この衝突飛散跳ね返り部４は、放出部３から放出された温泉１が衝突する板状であって且つ複数の流通孔12を有する形状に形成し、この容体２に前記温泉衝突ガス分離機構５により分離されたガスを排気する排気部６を設け、この容体２の下部にガスの含有量を減じた温泉１Ａを導出する導出部７を設けたことを特徴とする温泉ガス分離装置に係るものである。
【００１２】
また、前記容体２内に、この容体２内を、前記温泉衝突ガス分離機構５が存するガス分離温泉用収容部９と、前記導出部７が存するガス分離済温泉用収容部10とに仕切る仕切り部８を設け、この仕切り部８の下部に前記ガス分離温泉用収容部９と前記ガス分離済温泉用収容部10とを連通する連通部11を設けて、ガス分離温泉用収容部９で前記温泉衝突ガス分離機構５によりガスの含有量を減じられた温泉１Ａが前記連通部11を介して前記ガス分離済温泉用収容部10に収容されるように構成し、このガス分離済温泉用収容部10のガスの含有量を減じた温泉１Ａを前記導出部７から導出し得るように構成したことを特徴とする請求項１〜４のいずれか１項に記載の温泉ガス分離装置に係るものである。
【００１３】
また、前記容体２内に、前記温泉衝突ガス分離機構５を囲繞するようにして前記容体２内を仕切る筒状の前記仕切り部８を設けて、温泉衝突ガス分離機構５の前記衝突飛散跳ね返り部４に衝突して飛散若しくは跳ね返った温泉１がこの仕切り部８の内壁に衝突することで飛散若しくは跳ね返るように構成したことを特徴とする請求項５記載の温泉ガス分離装置に係るものである。
【発明の効果】
【００１４】
本発明は上述のように構成したから、特別な動力を要することなく且つ温泉の急激な温度低下も招くことなく効果的にガス分離できると共に、動力や回転構造などを有しない簡単な構造であるから、容易に設計実現可能で量産性に富むなど、極めて実用性に秀れた画期的な温泉ガス分離装置となる。
【００１５】
また、請求項２，３記載の発明においては、温泉の気液接触を促進できて一層効果的なガス分離が行われる極めて実用性に秀れた構成の温泉ガス分離装置となる。
【００１６】
また、請求項４記載の発明は上述のように構成したから、特別な動力を要することなく効果的にガス分離できると共に、動力や回転構造などを有しない簡単な構造であるから、容易に設計実現可能で量産性に富むなど、極めて実用性に秀れた画期的な温泉ガス分離装置となる。
【００１７】
また、請求項５記載の発明においては、確実にガス分離が行われた温泉を導出部から導出することができる一層実用性に秀れた温泉ガス分離装置となり、更に請求項６記載の発明のように構成することにより、温泉の気液接触を促進できて一層効果的なガス分離が行われることになる極めて秀れた構成の温泉ガス分離装置となる。
【図面の簡単な説明】
【００１８】
【図１】実施例１の使用状態を示す概略説明図である。
【図２】実施例１を示す説明斜視図である。
【図３】実施例１の放出部から放出された温泉が衝突飛散跳ね返り部の内壁に衝突する様子を示す部分拡大説明平面図である。
【図４】実施例１の温泉衝突ガス分離機構の作動説明断面図である。
【図５】実施例２を示す説明正断面図である。
【発明を実施するための形態】
【００１９】
好適と考える本発明の実施形態（発明をどのように実施するか）を、図面に基づいて本発明の作用を示して簡単に説明する。
【００２０】
例えば、汲み上げた温泉１を容体２内に導入すると、容体２上部の放出部３からこの容体２内に温泉１が放出され、この放出された温泉１が容体２内に設けた温泉衝突ガス分離機構５の衝突飛散跳ね返り部４に衝突して、飛散若しくは跳ね返る。また、特に請求項４記載の発明の場合は、板状の衝突飛散跳ね返り部４に対して衝突した温泉１が飛散若しくは跳ね返り易い。
【００２１】
すると、飛散若しくは跳ね返った温泉１は、気液接触が良好に図られてこの温泉１に含まれているガスが分離することになり、この分離したガスは容体２の排気部６から排気されることになる。また、特に請求項４記載の発明の場合は、板状の衝突飛散跳ね返り部４に対して温泉１が飛散若しくは跳ね返るだけでなく、複数の流通孔12を温泉１が流通することで温泉１の気液接触が促進されるので、ガス分離が一層効果的に行われる。
【００２２】
そして、この容体２の下部には、ガスの含有量が減じられた温泉１Ａが貯留することになり、この容体２の下部に設けた導出部７からガスの含有量を減じた温泉１Ａを導出して、例えば入浴施設へと供給できる。
【００２３】
従って、例えば後述する実施例１のように、源泉からの温泉汲み上げポンプによって賄われる放出部３からの温泉１放出エネルギーを利用することにより、特別な動力を要することなく温泉衝突ガス分離機構５で効果的にガス分離できると共に、この温泉衝突ガス分離機構５は、実質的に容体２内に放出された温泉１を衝突飛散跳ね返り部４に衝突させるだけの簡単な構造であるから、容易に設計実現可能で量産性に秀れ安価な製品を提供可能となるなど、極めて実用性に秀れた温泉ガス分離装置となる。
【００２４】
また、特に請求項１記載の発明の場合は、温泉衝突ガス分離機構５による温泉１のガス分離が断熱構造を有する容体２内で行われるため、温泉１の温度低下が小さく抑えられ、これにより源泉の温度によってはガスの含有量を減じた温泉１Ａを再加熱せずに入浴施設等へと供給することも可能となる。
【００２５】
また、例えば、前記温泉衝突ガス分離機構５は、前記容体２内に筒状の前記衝突飛散跳ね返り部４を立設状態に設けて、この衝突飛散跳ね返り部４内に前記放出部３から温泉１が放出されるように構成すると共に、この衝突飛散跳ね返り部４の内壁に放出された温泉１が衝突して飛散しながら若しくは跳ね返りながら流下することで、温泉１に含まれるガスが分離する構成とすれば、筒状の衝突飛散跳ね返り部４の内壁へ放出部３から放出された温泉１が衝突して飛散若しくは跳ね返ることを繰り返しながら流下していくので、この流下過程での気液接触の頻度が増加して温泉１に含まれていたガスの分離が促進されることなる。
【００２６】
また、例えば、前記容体２内に、この容体２内を、前記温泉衝突ガス分離機構５が存するガス分離温泉用収容部９と、前記導出部７が存するガス分離済温泉用収容部10とに仕切る仕切り部８を設け、この仕切り部８の下部に前記ガス分離温泉用収容部９と前記ガス分離済温泉用収容部10とを連通する連通部11を設けて、ガス分離温泉用収容部９で前記温泉衝突ガス分離機構５によりガスの含有量を減じられた温泉１Ａが前記連通部11を介して前記ガス分離済温泉用収容部10に収容されるように構成し、このガス分離済温泉用収容部10のガスの含有量を減じた温泉１Ａを前記導出部７から導出し得るように構成すれば、容体２内に放出された温泉１は、先ず、温泉衝突ガス分離機構５が存するガス分離温泉用収容部９でガス分離が行われてから、連通部11を介して導出部７の存するガス分離済温泉用収容部10へ収容されるので、ガス分離が済んでいない温泉１が導出部７から導出されることが可及的に防止され、ガス分離が済んだ温泉１Ａだけを導出部７から導出することができる。
【００２７】
また、例えば、前記容体２内に、前記温泉衝突ガス分離機構５を囲繞するようにして前記容体２内を仕切る筒状の前記仕切り部８を設けて、温泉衝突ガス分離機構５の前記衝突飛散跳ね返り部４に衝突して飛散若しくは跳ね返った温泉１がこの仕切り部８の内壁に衝突することで飛散若しくは跳ね返るように構成すれば、前記作用・効果に加えて、容体２内に放出された温泉１が、衝突飛散跳ね返り部４に衝突して飛散若しくは跳ね返った後に仕切り部８に衝突して飛散若しくは跳ね返りを繰り返すので、温泉１の気液接触の頻度が増加して温泉１に含まれていたガスの分離がより促進されることになる。
【００２８】
また、例えば、前記衝突飛散跳ね返り部４に、温泉１が流通可能な流通孔12を複数形成すれば、この流通孔12を温泉１が流通することで温泉１の気液接触が促進されるので、ガス分離が一層効果的に行われることになる。
【実施例１】
【００２９】
本発明の具体的な実施例１について図１〜図４に基づいて説明する。
【００３０】
本実施例は、温泉１を導入して温泉１に含まれるガスを分離排気してガスの含有量を減じた温泉１Ａを導出する温泉ガス分離装置Ａであって、容体２の上部に温泉１をこの容体２内に放出する放出部３を設け、この放出部３から容体２内に放出された温泉１Ａをガス分離する温泉衝突ガス分離機構５を前記容体２内に設け、この容体２に前記温泉衝突ガス分離機構５により分離されたガスを排気する排気部６を設け、この容体２の下部にガスの含有量を減じた温泉１Ａを導出する導出部７を設けている。
【００３１】
また、本実施例の温泉ガス分離装置Ａは、図１に示すように、宿泊施設（図示省略）等の屋外に設置されていて、源泉から汲み上げた温泉１を一時的に貯湯タンク19に貯留した後、入浴施設等へと供給するように構成されている温泉供給設備Ｂに対して後付け設置した場合を示している。
【００３２】
具体的には、源泉から温泉１を汲み上げる温泉供給設備Ｂの汲み上げ管18を分岐して温泉ガス分離装置Ａの前記放出部３に連結すると共に、この温泉ガス分離装置Ａの前記導出部７を貯湯タンク19に連結した構成とし、放出部３を介して温泉ガス分離装置Ａに導入された温泉１が、温泉衝突ガス分離機構５によってガス分離された後、導出部７を介して貯湯タンク19へと導出されて、この貯湯タンク19からガスが減じられた温泉１Ａが入浴施設等へと供給されるように構成している。図中符号22は貯湯タンク19の上部に突設したガス抜き部（管）である。
【００３３】
本実施例の容体２は、図２，図４に示すように、上部開口形であって円筒形の本体13と、この本体13の上部開口部を閉塞する円盤形の蓋体14とから成る構成としている。
【００３４】
また、本体13は、下方部分を円錐形に形成してこの円錐形状部内の下部中心に温泉１の沈殿物15が沈殿するように構成し、更にこの下方部分の下端部に沈殿物15を排出可能な排出部16を形成している。
【００３５】
また、この本体13の上部側壁部に、この上部側壁部を水平方向に貫通するようにして導入管20を設け、この導入管20の容体２外に露出しているがわを前記汲み上げ管18と連結し、この導入管20の容体２内に存しているがわの端部を前記放出部３としている。即ち、放出部３は、容体２内の上部に設けた構成とすると共に、源泉からの温泉汲み上げポンプ（図示省略）の動力を利用して温泉１を容体２内へと放出する構成としている。
【００３６】
また、この導入管20が設けられる本体13の側壁部から、この本体13の周方向に９０度間隔を置いた側壁部に導出管21を沿設状態に立設配設すると共に、この導出管21の上端を水平に折曲してこの折曲上端部を本体13の上部側壁部から本体13外へ突出させ、この本体13外へ突出する導出管21の上端部を前記貯湯タンク19に連結している。そして、この導出管21の容体２内の下端部を前記導出部７とし、この導出部７から容体２内でガス分離された温泉１Ａが導出管21を介して貯湯タンク19へと導出する構成としている。図中符号27は容体２のオーバーフロー管であり、本実施例では、その温泉取入口を、容体２上部に溜まるガスが一緒に排出されないように下方へ垂下させている。
【００３７】
また、蓋体14は、本体13の上部開口部に対して開閉自在に設けると共に、この蓋体14の上部中心部に、前記温泉衝突ガス分離機構５により分離されたガスを排気する排気部６としての管６を立設状態に突設している。
【００３８】
また、この本体13と蓋体14とは、夫々の外壁部を二重構造とし、この二重壁内の全域に断熱材17を充填することで断熱構造をなす構成として、容体２内に導入した温泉１の温度低下を可及的に防止している。
【００３９】
本実施例の温泉衝突ガス分離機構５は、前記容体２内に円筒状の前記衝突飛散跳ね返り部４を立設状態に設けて、この衝突飛散跳ね返り部４内に前記放出部３から温泉１が放出されるように構成すると共に、この衝突飛散跳ね返り部４の内壁に放出された温泉１が衝突して飛散し且つ跳ね返りながら流下することで、温泉１に含まれるガスが分離する構成としている。
【００４０】
具体的には、衝突飛散跳ね返り部４は、容体２の内径寸法より径小な円筒体で構成している。
【００４１】
更に詳しくは、衝突飛散跳ね返り部４は、その筒周壁が薄板状であって且つ容体２の内径寸法に対して１／５〜１／６程度の径寸法を有する径小円筒体で構成し、この衝突飛散跳ね返り部４を容体２内の中心部に、この容体２と同心円状に立設配設している。図中符号23は衝突飛散跳ね返り部４と後述する仕切り部８とに架設してこの衝突飛散跳ね返り部４を容体２内に取付固定するための取付桟である。
【００４２】
また、図２に示すように、この衝突飛散跳ね返り部４の上端寄り側壁部に前記放出部３を構成する導入管20の端部を直角に連設し、この放出部３から温泉１が衝突飛散跳ね返り部４内に直接放出されて、この放出された温泉１が図３中の矢印のように衝突飛散跳ね返り部４の内壁に衝突して飛散及び跳ね返り、その後図４中の矢印のように対向側の内壁に衝突して飛散及び跳ね返ることを繰り返しながらジグザグに流下するように構成している。従って、この飛散及び跳ね返りを繰り返す流下過程で、温泉１の気液接触が図られて温泉１に含まれるガスが分離することになる構成としている。
【００４３】
また、この衝突飛散跳ね返り部４は、その筒周壁に、温泉１や温泉１に含まれるガスがこの衝突飛散跳ね返り部４の周壁を介して内外方向に流通可能な丸孔形状の流通孔12（貫通孔）を複数散在形成している。従って、この流通孔12を、温泉１や温泉１に含まれるガスが流通することでも温泉１の気液接触が促進されて、ガス分離が効果的に行われるようにしている。
【００４４】
また、この衝突飛散跳ね返り部４は、この衝突飛散跳ね返り部４の下端が、容体２内の底部に接触せずにこの容体２内の底部より間隔を置いた上方に位置する高さ寸法（筒長さ寸法）に設定し、これによりこの衝突飛散跳ね返り部４内を流下した温泉１が、容体２内で衝突飛散跳ね返り部４外の周囲にも流動することになる構成としている。
【００４５】
また、本実施例では、前記容体２内に、この容体２内を仕切る仕切り部８を設けて、この仕切り部８により容体２内が前記温泉衝突ガス分離機構５が存するガス分離温泉用収容部９と、前記導出部７が存するガス分離済温泉用収容部10とに仕切られるように構成し、この仕切り部８の下部に前記ガス分離温泉用収容部９と前記ガス分離済温泉用収容部10とを連通する連通部11を設けて、ガス分離温泉用収容部９で前記温泉衝突ガス分離機構５によりガスの含有量を減じられた温泉１Ａが前記連通部11を介して前記ガス分離済温泉用収容部10に収容されるように構成し、このガス分離済温泉用収容部10のガスの含有量を減じた温泉１Ａを前記導出部７から導出し得るように構成している。
【００４６】
具体的には、前記仕切り部８は、前記温泉衝突ガス分離機構５の衝突飛散跳ね返り部４を囲繞する筒状体で構成している。即ち、容体２内を平面から（上から）見た際、その中心部に前記ガス分離温泉用収容部９が形成され、このガス分離温泉用収容部９の仕切り部８を境にした外側全周囲にドーナツ状の前記ガス分離済温泉用収容部10が形成される構成としている。
【００４７】
また、この筒状の仕切り部８は、衝突飛散跳ね返り部４より径大であって且つ容体２の内径より径小な円筒体で構成している。
【００４８】
更に詳しくは、仕切り部８は、その筒周壁が薄板状であって且つ容体２の内径寸法に対して１／２程度の径寸法を有する円筒体で構成し、この仕切り部８を容体２内に、この容体２，衝突飛散跳ね返り部４と同心円状に立設配設して、この仕切り部８より外側に前記導出部７を備えた導出管21が立設配設する構成としている。図中符号24は仕切り部８と容体２とに架設してこの仕切り部８を容体２内に取付固定するための固定桟である。
【００４９】
このような温泉衝突ガス分離機構５を囲繞する円筒状の仕切り部８を採用したことにより、温泉衝突ガス分離機構５の前記衝突飛散跳ね返り部４の前記流通孔12から衝突飛散跳ね返り部４外へと流出した温泉１が更にこの仕切り部８の内壁に衝突して飛散及び跳ね返ることになり、この仕切り部８で跳ね返った温泉１が流通孔12に流通したり衝突飛散跳ね返り部４の外壁に衝突することとなって、このことによっても温泉１の気液接触が促進されてガス分離が良好に行われることになる（図４参照。）。
【００５０】
また、この仕切り部８は、この仕切り部８の下端が、衝突飛散跳ね返り部４の下端よりも下方に位置する高さ寸法（筒長さ寸法）であって、この仕切り部８の下端が容体２内の底部に接触せずにこの容体２内の底部より間隔を置いた上方に位置する高さ寸法に設定し、この仕切り部８の下端全周と容体２内の底部との間の間隔を前記連通部11としている。
【００５１】
従って、前記放出部３から放出されて温泉衝突ガス分離機構５及び仕切り部８への衝突作用によって前記ガス分離温泉用収容部９で温泉１のガス分離がなされると、この分離したガスは容体２内の上部へと上昇して前記蓋体14の前記排気部６から容体２外へと排気され、一方、ガスの含有量が減じられた温泉１Ａは、放出部３からの放出される温泉１の流体圧もあって仕切り部８の下方へと流動し、前記連通部11から周囲の前記ガス分離済温泉用収容部10へ収容されて、前記導出部７から容体２外へと導出（排水）される構成としている（図４参照。）。
【実施例２】
【００５２】
本発明の具体的な実施例２について図５に基づいて説明する。
【００５３】
本実施例は、前記実施例１において、エアレーション装置Ｃを増設した場合である。
【００５４】
具体的には、本実施例のエアレーション装置Ｃは、ブロアー25にエア管26を接続し、このエア管26の先端側に複数のエア穴（図示省略）を具備するものとしている。
【００５５】
本実施例では、図５に示すように、このブロアー25を容体２の外部に設置し、エア管26を容体２（本体13）の側壁部を介して容体２内へと配設し、その先端部分を前記仕切り部８及び温泉衝突ガス分離機構５の下方に水平に配設している。
【００５６】
従って、ブロアー25からエア管26にエアを送り込むと、エア管26のエア穴から多数のエア（気泡）が噴出して仕切り部８内を上昇することになり、このエアレーション作用も加わることで温泉１の気液接触がより促進されて、極めて良好なガス分離がなされる構成としている。
【００５７】
他の構成は、前記実施例１と同様である。
【００５８】
尚、本発明は、実施例１，２に限られるものではなく、各構成要件の具体的構成は適宜設計し得るものである。
【００５９】
例えば、実施例１，２では、流通孔12を備えた円筒体（衝突飛散跳ね返り部４）を容体２内に立設することで温泉衝突ガス分離機構５を構成したが、要は、温泉１が衝突して飛散若しくは跳ね返るようなものであれば良く、例えば、容体２内に高さのある網板を垂直に立設したり、網板を水平に設置するような構成としても良い。
【００６０】
また、実施例１，２では、断熱構造を有する容体２を示したが、断熱構造を有しない構成としても良い。
【００６１】
また、実施例１，２では、温泉１から分離したガスを排気部６を介して容体２外の大気中へと排気するようにした場合を示したが、例えば、排気部６にガス回収装置を連設して、分離したガスを燃料として利用するためのシステムを構築しても良い。
【符号の説明】
【００６２】
１  温泉
１Ａ  （ガスの含有量を減じた）温泉
２  容体
３  放出部
４  衝突飛散跳ね返り部
５  温泉衝突ガス分離機構
６  排気部
７  導出部
８  仕切り部
９  ガス分離温泉用収容部
10  ガス分離済温泉用収容部
11  連通部
12  流通孔
Ａ  温泉ガス分離装置
【図１】
2010214277.tif 000003
【図２】
2010214277.tif 000004
【図３】
2010214277.tif 000005
【図４】
2010214277.tif 000006
【図５】
2010214277.tif 000007